(57)【要約】【課題】使用済みのニードルカニューレをもっと順調にプランジャ内に引き込むことができる注射器提供することを目的とする。【解決手段】  ニードルカニューレのプランジャ内への引込みは、前ハブ部が保持領域から摩擦減少領域を経由して接触肩部に当接させられ、即ち、前ハブ部がバレルの小径部の保持領域による保持状態から摩擦領域内にある緩和状態に変更されてから始めて行われる構成である。前記引込みの移動に対する抵抗になる静的摩擦が大幅に減少し、付勢手段による引込み動作が容易に発動され、従来より順調に行われることができる。【選択図】図１
2005312895.tif 000002
【特許請求の範囲】
【請求項１】
ニードルカニューレ２２と、
管状であってニードルカニューレ２２を固定する前ハブ部２１１と、前ハブ部２１１からその軸方向に沿って延伸してなっている被挟持部２１２と、前ハブ部２１１と反対した後嵌部２１３とからなっているニードル座２１と、
前記軸方向上に互いに対向している前後２の開口端１３１，１３２と、該前後２の開口端１３１，１３２の間に延伸して該前後２の開口端１３１，１３２の開口を連通している通路１０が形成され、且つ、前開口端１３１に近接している小径部１２と後開口端１３２に近接している大径部１１とからなっている周壁１３とを有し、また、大径部１１に、前記軸方向において小径部１２を離れている保持エリア１６が形成され、小径部１２に、大径部１１に近接する上、ニードル座２１が使用位置にある時、前ハブ部２１１を保持するように構成されている保持領域１２１と、保持領域１２１から前開口端１３１へ延伸していてその末端にニードル座２１が使用位置にある時、前ハブ部２１１を離れている接触肩部１２４が形成されている摩擦減少領域１２２とが形成され、接触肩部１２４にニードルカニューレ２２を挿通する連通孔１２３が形成されているバレル１と、
管状のものであってニードル座２１が使用位置にある時、被挟持部２１２を保持しながら保持エリア１６と係合し、それの保持エリア１６に対する移動の抵抗になる第１の摩擦力を生じることができるように配置されている挟持手段３と、
互いに対向している前後両端開口と、前記前後両端開口の間に延伸していてその内部に収容室４１をなしている周壁４２とを有する管状のものであって、大径部１１にある通路１０内に摺動可能に設けられていてその前端開口縁４２１が挟持手段３と当接するまで移動することができ、また、その後端開口縁４２２がいつもバレル１の後開口端１３２から外部へ露出していて外部から操作されることができるプランジャ４と、
収容室４１内の所定の所に係止されていてそれのプランジャ４の該所定の所の周壁４２に対する移動の抵抗になる第２の摩擦力を生じる保持部５１２と、使用位置にある時、プランジャ４の前端開口縁４２１に隣接し、且つ、ニードル座２１の後嵌部２１３と対面するように配置されていてバレル１の前開口端１３１へ摺動される時、後嵌部２１３と結合することができる嵌合部５１４とを有し、それにより、プランジャ４が前記第１の摩擦力に抗して前方へ摺動させられることにより、挟持手段３が前方へ押され、前ハブ部２１１が摩擦減少領域１２２を経由して接触肩部１２４に当接させられて、そして、進んでプランジャ４が押されて嵌合部５１４が後嵌部２１３に押し込まれて該後嵌部２１３に結合させられてから、プランジャ４の周壁４２に沿って後端開口縁４２２へ摺動させられ、保持部５１２を所定の周壁４２から離脱させる係合手段５１と、
嵌合部５１４を後端開口縁４２２へ近づけると共に、ニードル座２１を前記使用位置からニードルカニューレ２２と一緒に収容室４１内に収容する引っ込み位置に移動させる附勢力を与えるように配置されている附勢手段５２とを備えていることを特徴とする注射器。
【請求項２】
摩擦減少領域１２２にある通路１０の内径が保持領域１２１にある通路１０の内径より大であることを特徴とする請求項１に記載の注射器。
【請求項３】
ニードル座２１は金属管であり、前ハブ部２１１としての前段部と、前記前段部の反対側にあり、且つ、その内外両面がそれぞれ後嵌部２１３と被挟持部２１２とされている後段部とからなっていることを特徴とする請求項１に記載の注射器。
【請求項４】
プランジャ４の周壁４２は、それぞれ前記前端開口に近接する小段部４２３と、前記後端開口に近接する大段部４２４と、大段部４２４と前記後端開口との間に形成されている末端部４２５とからなっていることを特徴とする請求項１に記載の注射器。
【請求項５】
末端部４２５に外気と連通している通気孔４２９が形成されていることを特徴とする請求項４に記載の注射器。
【請求項６】
係合手段５１は、保持部５１２から嵌合部５１４を遠ざかった方向へ延伸してなっている棒部５１１を有し、
附勢手段５２は、前後両端を有するコイルばねであり、それぞれ棒部５１１及び後端開口縁４２２に固定されていて、保持部５１２がプランジャ４の前記所定の周壁４２と当接する時、反対方向へ引っ張られることができることを特徴とする請求項５に記載の注射器。
【請求項７】
大段部４２４には後端開口縁４２２に近接した環状リブ４２８が形成されており、前記コイルばねの後端が環状リブ４２８に固定されていることを特徴とする請求項６に記載の注射器。
【請求項８】
係合手段５１は嵌合部５１４と保持部５１２との間に介在されている棒部５１１を有し、
また、周壁４２及び棒部５１１にはそれぞれ前端開口縁４２１と近接した環状肩部４２６と、嵌合部５１４を遠ざかった凸縁５１５とが形成されており、
附勢手段５２はコイルばねであり、保持部５１２がプランジャ４の前記所定の周壁４２と当接する時、環状肩部４２６と凸縁５１５との間に強制的に挟まれて前記附勢力を生じることを特徴とする請求項５に記載の注射器。
【請求項９】
後嵌部２１３が前記軸方向に沿って被挟持部２１２から後方へ延伸してなっており、
嵌合部５１４にはニードル座２１が前記引込み位置にある時に後嵌部２１３を挟持できる結合凹槽５１６が形成されていることを特徴とする請求項１に記載の注射器。
【請求項１０】
プランジャ４前記後端開口はキャップ４４に覆われており、
プランジャ４の前記後端開口とキャップ４４との間にはシールリング手段４５が配置されてそれらの間を密封していることを特徴とする請求項１に記載の注射器。
【請求項１１】
附勢手段５２は、収容室４１内に収容されている大気より低圧の流体からなり、また、係合手段５１とプランジャ４の前記所定の周壁４２との間に、密封手段５５が設けられて流体を収容室４１内に閉じ込めており、それにより、保持部５１２が周壁４２から離脱する時、嵌合部５１４が収容室４１の低圧と、ニードルカニューレ２２とニードル座２１とから入る大気との間の圧力差によって前記引込み位置に吸引されることができることを特徴とする請求項１０に記載の注射器。
【請求項１２】
密封手段５５は前記軸方向に環状のように延伸してから係合手段５１の後方に結束し、その末端壁５５０になっており、また、末端壁５５０のほぼ中央部に径方向に沿うように、末端壁５５０の可撓性を増加させて密封手段５５と周壁４２との密接を向上させることができる凹溝５５１が形成されていることを特徴とする請求項１１に記載の注射器。
【請求項１３】
係合手段５１は、保持部５１２から後方へ延伸してからその末端にヘッド部５１９が張り出しになっている棒部５１１を有し、密封手段５５はヘッド部５１９と保持部５１２との間に介在されるように棒部５１１に外嵌しており、それにより、密封手段５５と周壁４２との密接性を向上させることができることを特徴とする請求項１１に記載の注射器。
【請求項１４】
密封手段５５は係合手段５１と一体的に形成されていることを特徴とする請求項１１に記載の注射器。
【請求項１５】
密封手段５５は、可撓性材料からなり、且つ係合手段５１と一体的に形成されており、
係合手段５１にバレル１の大径部１１の内壁面に沿って密封的な摺動ができる環状エッジ５１８が延出に形成されていることを特徴とする請求項１１に記載の注射器。
【請求項１６】
摩擦減少領域１２２に、密封ユニット７が水密的に充填されており、
また、挟持手段３０に、ニードル座２１の被挟持部２１２と密接している密封部３２が形成されていて該挟持手段３と密封ユニット７との間に圧縮可能な室７３をなしており、
そして、室７３内に流体が充満しており、ニードル座２１の前ハブ部２１１がニードルカニューレ２２を固定する後段部２１１１と該後段部２１１１から前方へ延伸してニードルカニューレ２２を回って内室２１１０を形成している前段部２１１２からなっており、また、前段部２１１２に内室２１１０と室７３と連通している複数の通孔２１４が形成されており、それにより、プランジャ４を前方へ摺動させて前ハブ部２１１を押し付けて摩擦減少領域１２２を経由して接触肩部１２４に当接する時、室７３を圧縮させて内圧を上げることにより、複数の通孔２１４を通し、軸方向に沿う被挟持部２１２への推力を生じ、被挟持部２１２に結合させられた嵌合部５１４のプランジャ４内への引込みを補助することができることを特徴とする請求項１に記載の注射器。
【請求項１７】
バレル１の大径部１１と小径部１２との間の内壁面に、環状肩部１４が形成されており、該環状肩部１４に複数のリブ１５が形成されており、ニードル座２１が使用位置にある時、複数のリブ１５により前ハブ部２１１を更に保持することができることを特徴とする請求項１に記載の注射器。
【請求項１８】
保持部５１２と嵌合部５１４との間に、ニードル座２１が使用位置にある時、小段部４２３の収容室４１内に延在して係合手段５１全体を安定化させる保持棒部５１３が形成されていることを特徴とする請求項１に記載の注射器。
【発明の詳細な説明】
【技術分野】
【０００１】
本発明は注射器に関し、もっと詳しくは、使用済みのニードルカニューレを薬剤推進用のプランジャ内に収容することができる注射器に関する。
【背景技術】
【０００２】
出願人は、特許文献１にて「注射器」を提案している。この注射器において、使用済みのニードルカニューレをプランジャ内に引込む機構があり、それにより、注射針の誤刺しによる感染を防止することができるが、出願人は、この機構によるニードルカニューレのプランジャ内への引込みは順調性がまだまだ理想とは言えないと思う。
【特許文献１】特開２００４−１９４３８５号公報
【発明の開示】
【発明が解決しようとする課題】
【０００３】
上記に鑑みて、出願人は、検討に検討を重ねて、使用済みのニードルカニューレをもっと順調にプランジャ内に引き込むことができる注射器を提供しようとすることを本発明の目的とする。
【課題を解決するための手段】
【０００４】
前記目的を達成するために、本発明は、ニードルカニューレと、ニードル座と、バレルと、挟持手段と、プランジャと、係合手段と、附勢手段とをそれぞれ以下のように備えている注射器を提供する。前記ニードル座は、管状であって前記ニードルカニューレを固定する前ハブ部と、前記前ハブ部からその軸方向に沿って延伸してなっている被挟持部と、前記前ハブ部と反対した後嵌部とからなっている。前記バレルは、前記軸方向上に互いに対向している前後２の開口端と、該前後２の開口端の間に延伸して該前後２の開口端の開口を連通している通路が形成され、且つ、前記前開口端に近接している小径部と前記後開口端に近接している大径部とからなっている周壁とを有し、また、前記大径部に、前記軸方向において前記小径部を離れている保持エリアが形成され、前記小径部に、前記大径部に近接する上、前記ニードル座が使用位置にある時、前記前ハブ部を保持するように構成されている保持領域と、前記保持領域から前記前開口端へ延伸していてその末端に前記ニードル座が使用位置にある時、前記前ハブ部を離れている接触肩部が形成されている摩擦減少領域とが形成され、前記接触肩部に前記ニードルカニューレを挿通する連通孔が形成されている。
【０００５】
前記挟持手段は、管状のものであって前記ニードル座が使用位置にある時、前記被挟持部を保持しながら前記保持エリアと係合し、それの前記保持エリアに対する移動の抵抗になる第１の摩擦力を生じることができるように配置されている。前記プランジャは、互いに対向している前後両端開口と、前記前後両端開口の間に延伸していてその内部に収容室をなしている周壁とを有する管状のものであって、前記大径部にある前記通路内に摺動可能に設けられていてその前端開口縁が前記挟持手段と当接するまで移動することができ、また、その後端開口縁がいつも前記バレルの前記後開口端から外部へ露出していて外部から操作されることができるものである。
【０００６】
前記係合手段は、前記収容室内の所定の所に係止されていてそれの前記プランジャの該所定の所の前記周壁に対する移動の抵抗になる第２の摩擦力を生じる保持部と、使用位置にある時、前記プランジャの前記前端開口縁に隣接し、且つ、前記ニードル座の前記後嵌部と対面するように配置されていて前記バレルの前記前開口端へ摺動される時、前記後嵌部と結合することができる嵌合部とを有し、それにより、前記プランジャが前記第１の摩擦力に抗して前方へ摺動させられることにより、前記挟持手段が前方へ押され、前記前ハブ部が前記摩擦減少領域を経由して前記接触肩部に当接させられて、そして、進んで前記プランジャが押されて前記嵌合部が前記後嵌部に押し込まれて該後嵌部に結合させられてから、前記プランジャの前記周壁に沿って前記後開口端縁へ摺動させられ、前記保持部を前記所定の所の周壁から離脱させるものである。前記附勢手段は、前記嵌合部を前記後開口端縁へ近づけると共に、前記ニードル座を前記使用位置から前記ニードルカニューレと一緒に前記収容室内に収容する引っ込み位置に移動させる附勢力を与えるように配置されている。
【発明の効果】
【０００７】
上記構造の注射器によれば、前記ニードルカニューレのプランジャ内への引込みは、前記前ハブ部が前記保持領域から前記摩擦減少領域を経由して前記接触肩部に当接させられ、即ち、前記前ハブ部が前記バレルの小径部の前記保持領域による保持状態から前記摩擦領域内にある緩和状態に変更されてから始めて行われるので、前記引込みの移動に対する抵抗になる静的摩擦が大幅に減少し、付勢手段による引込み動作が容易に発動され、従来より順調に行われることができる。
【発明を実施するための最良の形態】
【０００８】
以下、図面を参照しながら、本発明の注射器の好ましい実施形態を説明する。
【０００９】
先ず、図１乃至図５を参照して本発明の注射器の第１の実施形態を説明する。図１及び図２に示すように、本実施形態の注射器は、ニードル手段２と、バレル１と、挟持手段３と、プランジャ４と、係合手段５１と、附勢手段５２とを備えている。
【００１０】
ニードル手段２は、ニードル座２１と、ニードルカニューレ２２とからなっている。ニードル座２１は直管状であって、前後方向に伸びているニードルカニューレ２２の後端を固定する前ハブ部２１１と、前ハブ部２１１から前記前後方向即ちニードル座２１それ自体の軸方向に沿って延伸してなっている被挟持部２１２と、前ハブ部２１１と反対した後嵌部２１３とからなっている。言い換えれば、ニードル座２１は、前ハブ部２１１としての前段部と、前段部２１１の反対側にあり、且つ、その内外両面がそれぞれ後嵌部２１３と被挟持部２１２とされている後段部とからなっている。なお、ニードル手段２は直径が極めて細い金属管からなっており、プランジャ４及びバレル１それぞれの内外径もそれに応じて極めて細い。従って、例えば１ｍｌの極小量の薬剤の注射に適用される。
【００１１】
バレル１は、前記軸方向（前後方向）上に互いに対向している前後２の開口端１３１，１３２と、該前後２の開口端１３１，１３２の間に延伸して該前後２の開口端１３１，１３２の開口を連通している通路１０が形成され、且つ、前開口端１３１に近接している小径部１２と後開口端１３２に近接している大径部１１とからなっている周壁１３とを有する。また、大径部１１に、前記軸方向において小径部１２を離れている保持エリア１６が形成されている。そして、バレル1の大径部１１と小径部１２との間の内壁面に、環状肩部１４が形成されており、環状肩部１４に複数のリブ１５が前後方向に沿って延びており、ニードル座２１が使用位置にある時、下記保持領域１２１に加えて該複数のリブ１５により前ハブ部２１１を更に保持することができる。
【００１２】
小径部１２に、大径部１１に近接する上、ニードル座２１が使用位置にある時、前ハブ部２１１を保持するように構成されている保持領域１２１と、保持領域１２１から前開口端１３１へ延伸していてその末端にニードル座２１が使用位置にある時、前ハブ部２１１を離れている接触肩部１２４が形成されている摩擦減少領域１２２とが形成されている。そして、摩擦減少領域１２２にある通路１０の内径が保持領域１２１にある通路１０の内径より大である。なお、接触肩部１２４にニードルカニューレ２２を挿通する連通孔１２３が形成されている。
【００１３】
挟持手段３は、管状のものであってニードル座２１が使用位置にある時、被挟持部２１２を保持しながら保持エリア１６と係合し、それの保持エリア１６に対する移動の抵抗になる第１の摩擦力を生じることができるように配置されている。また、挟持手段３に、ニードル座２１の被挟持部２１２を保持する延伸孔３１が形成されている。
【００１４】
プランジャ４は、互いに対向している前後両端開口と、前記前後両端開口の間に延伸していてその内部に収容室４１をなしている周壁４２とを有する管状のものであって、大径部１１にある通路１０内に摺動可能に設けられていてその前端開口縁４２１が挟持手段３と当接するまで移動することができ、また、その後端開口縁４２２がいつもバレル１の後開口端１３２から外部へ露出していて外部から操作されることができる。また、プランジャ４の周壁４２は、それぞれ前記前端開口に近接する小段部４２３と、前記後端開口に近接する大段部４２４と、大段部４２４と前記後端開口との間に形成されている末端部４２５とからなっている。また、プランジャ４の小段部４２３と大段部４２４との間の互いに隣接したところに、肩部４２６が形成されている。そして、末端部４２５に外気と連通している通気孔４２９が形成されている。大段部４２４には後端開口縁４２２に近接した環状リブ４２８が形成されている。プランジャ４の前記後端開口はキャップ４４に覆われており、キャップ４４に、末端部４２５と係合している環状溝４４１が形成されている。なお、大段部４２４の肩部４２６に近接した内周壁に環状溝４２７が形成されている。小段部４２３に可撓性シールリング４３が外嵌している。それにより、小段部４２３がバレル１の大径部１１と係合手段５１との間に密封的摺動ができる。
【００１５】
係合手段５１は、棒部５１１と、保持部５１２と、保持棒部５１３と、嵌合部５１４とを有する。本実施形態において、保持部５１２は環状溝４２７に係止されていてそれのプランジャ４の環状溝４２７の周壁４２に対する移動の抵抗になる第２の摩擦力を生じる突起である。嵌合部５１４は、使用位置にある時、プランジャ４の前端開口縁４２１に隣接し、且つ、ニードル座２１の後嵌部２１３と対面するように配置されていてバレル１の前開口端１３１へ摺動される時、後嵌部２１３と結合することができる。保持棒部５１３は、保持部５１２と嵌合部５１４との間に、ニードル座２１が使用位置にある時、小段部４２３の収容室４１内に延在して係合手段５１全体を安定化させる。棒部５１１は、保持部５１２から嵌合部５１４を遠ざかった方向へ延伸している。
【００１６】
附勢手段５２は、前後両端５２１、５２２を有するコイルばねであり、それぞれ棒部５１１及び環状リブ４２８に固定されていて、保持部５１２がプランジャ４の環状溝４２７と当接する時、反対方向へ引っ張られることができる。
【００１７】
注射が完了した後、進んでプランジャ４をバレル１の前開口端１３１へ摺動させて密封リング４３を挟持手段３と当接させる。この時、嵌合部５１４がすでに延伸孔３１に挿入した。それから、図３及び図４に示すように、プランジャ４を前記第１の摩擦力に抗して前方へ摺動させることにより、挟持手段３を更に前方へ押し、嵌合部５１４の一部を後嵌部２１３に進入させ、前ハブ部２１１を摩擦減少領域１２２を経由して接触肩部１２４に当接させる。そして、図５に示すように、進んでプランジャ４を押して嵌合部５１４を後嵌部２１３に押込んで後嵌部２１３に結合させてから、プランジャ４の周壁４２に沿って後端開口縁４２２へ摺動させ、保持部５１２を環状溝４２７から離脱させる。そして、図６に示すように附勢手段５２の附勢力によって、嵌合部５１４を後端開口縁４２２へ近づけると共に、ニードル座２１を前記使用位置からニードルカニューレ２２と一緒に収容室４１内に収容する引っ込み位置に移動させる。
【００１８】
上記のように、ニードルカニューレ２２のプランジャ４内への引込みは、前ハブ部２１１が保持領域１２１から摩擦減少領域１２２を経由して接触肩部１２４に当接させられ、即ち、前ハブ部２１１がバレル１の小径部１２の保持領域１２１による保持状態から摩擦減少領域１２２内にある緩和状態に変更されてから始めて行われるので、前記引込みの移動に対する抵抗になる静的摩擦が大幅に減少し、付勢手段５２による引込み動作が容易に発動され、従来より順調に行われることができる。
【００１９】
次に、図７に示すのは、本発明の注射器の第２の実施形態である。本実施形態において、前記第1の実施形態と異なる点は、後嵌部５１４が前記軸方向に沿って被挟持部２１２から後方へ延伸してなっいる。嵌合部５１４にはニードル座２１が前記引込み位置にある時に後嵌部２１３を挟持できる結合凹槽５１６が形成されていることになる。なお、バレル1、プランジャ４及びニードル座２１は前記第1の実施形態のものより直径が大である。それにより、本実施形態の注射器は、例えば３ｍｌや５ｍ1の普通量の薬剤を注射することができる。
【００２０】
次に、図８及び図９に示すのは本発明の注射器の第３の実施形態である。本実施形態において、前記第１の実施形態と異なる点は、係合手段５１は嵌合部５１４と保持部５１２との間に介在されている棒部５１１を有し、また、周壁４２及び棒部５１１にはそれぞれ前開口端縁４２１と近接した環状肩部４２６と、嵌合部５１４を遠ざかった凸縁５１５とが形成されていることにある。それにより、附勢手段５２は保持部５１２がプランジャ４の環状溝４２７と当接する時、環状肩部４２６と凸縁５１５との間に強制的に挟まれて前記附勢力を生じることができる。
【００２１】
次に、図１０に示すのは、本発明の注射器の第４の実施形態である。本実施形態において、前記第３の実施形態と異なる点は、バレル１、プランジャ４及びニードル座２１は前記第1の実施形態のものより直径が大であり、また、後嵌部２１３が前記軸方向に沿って被挟持部２１２から後方へ延伸している。嵌合部５１４にはニードル座２１が前記引込み位置にある時に後嵌部２１３を挟持できる結合凹槽５１６が形成されていることにある。それにより、本実施形態の注射器は、例えば３ｍｌや５ｍ1の普通量の薬剤を注射することができる。
【００２２】
次に、図１１乃至図１３に示すのは本発明の注射器の第５の実施形態である。本実施形態において、前記第1の実施形態と異なる点は、後端開口縁４２２とキャップ４４の環状溝４４１との間にはシールリング手段としてのＯリング４５が配置されてそれらの間を密封しており、また、附勢手段５２は、収容室４１内に収容されている大気より低圧の気体からなっていることにある。また、末端部４２５に前記第１の実施形態のような通気孔４２９が形成されていない。なお、係合手段５１のとプランジャ４の周壁４２との間に、密封手段５５が設けられて前記気体を収容室４１内に閉じ込めている。それにより、保持部５１２が周壁４２から離脱する時、嵌合部５１４が収容室４１の低圧と、ニードルカニューレ２２とニードル座２１とから入る大気との間の圧力差によって前記引込み位置に吸引されることができる。
【００２３】
次に、図１４に示すのは、本発明の注射器の第６の実施形態である。本実施形態において、前記第５の実施形態と異なる点は、密封手段５５は前記軸方向に環状のように延伸してから係合手段５１の後方に結束し、その末端壁５５０になっており、また、末端壁５５０のほぼ中央部に径方向に沿うように、末端壁５５０の可撓性を増加させて密封手段５５と周壁４２との密接を向上させることができる凹溝５５１が形成されていることにある。
【００２４】
次に、図１５に示すのは、本発明の注射器の第７の実施形態である。本実施形態において、前記第５の実施形態と異なる点は、バレル１、プランジャ４及びニードル座２１は前記第1の実施形態のものより直径が大であり、また、後嵌部２１２が前記軸方向に沿って被挟持部２１２から後方へ延伸してなっており、嵌合部５１４にはニードル座２１が前記引込み位置にある時に後嵌部２１３を挟持できる結合凹槽５１６が形成されていることにある。それにより、本実施形態の注射器は、例えば３ｍｌや５ｍ1の普通量の薬剤を注射することができる。なお、係合手段５１は、保持部５１２から後方へ延伸してからその末端にヘッド部５１９が張り出しになっている棒部５１１を有する。そして、密封手段５５はヘッド部５１９と保持部５１２との間に介在されるように棒部５１１に外嵌している。それにより、密封手段５５と周壁４２との密接性を向上させることができる。
【００２５】
次に、図１６及び図１７に示すのは、本発明の注射器の第８の実施形態である。本実施形態において、前記第７の実施形態と異なる点は、バレル４の大段部４２４は更にそれぞれ前端開口縁４２１に近接した前段部４２４１と後端開口縁４２２に近接した後段部４２４２とを有し、前段部４２４１の直径が後段部４２４２より小であり、且つ、前段部４２４１に後段部４２４２と同一の高さをもつ複数のひれ状リブ４６が形成されていることにある。それにより、プランジャ４はバレル１内に密封的な摺動ができる。また、本実施形態において、保持部５１２ａはプランジャ４の周壁４２に形成されている突起４２７ａに係止されていてそれのプランジャ４の周壁４２の突起４２７ａに対する移動の抵抗になる第２の摩擦力を生じる環状溝である。なお、結合手段５１に、結合凹溝５１６の反対側にあるテーパ部５１７が形成されていて結合手段５１とプランジャ４の小段部４２３との間を密封することができる。密封手段５５は係合手段５１と一体的に形成されている上、テーパ部５１７と保持部５１２ａの間に延在されている。
【００２６】
次に、図１８及び図１９に示すのは本発明の第９の実施形態である。本実施形態において、前記第８の実施形態の構造がほぼ同じように構成されているが、例えば１ｍｌの極小量の薬剤の注射に適用される。また、密封手段５５は、可撓性材料からなり、且つ係合手段５１と一体的に形成されている。なお、係合手段５１にバレル１の大径部１１の内壁面に沿って密封的な摺動ができる環状エッジ５１８が延出に形成されている。
【００２７】
次に、図２０及び図２１に示すのは本発明の第１０の実施形態である。本実施形態において、前記第８の実施形態と異なる点は、摩擦減少領域１２２に、密封ユニット７が水密的に充填されており、また、挟持手段３に、ニードル座２１の被挟持部２１２と密接している密封部３２が形成されていて挟持手段３と密封ユニット７との間に圧縮可能な室７３をなしていることにある。もっと詳しく説明すると、室７３内に流体が充満しており、ニードル座２１の前ハブ部２１１がニードルカニューレ２２を固定する後段部２１１１と後段部２１１１から前方へ延伸してニードルカニューレ２２を回って内室２１１０を形成している前段部２１１２からなっている。また、前段部２１１２に内室２１１０と室７３と連通している複数の通孔２１４が形成されている。それにより、プランジャ４を前方へ摺動させて前ハブ部２１１を押し付けて摩擦減少領域１２２を経由して接触肩部１２４に当接する時、室７３を圧縮させて内圧を上げることにより、複数の通孔２１４を通し、軸方向に沿う被挟持部２１２への推力を生じ、被挟持部２１２に結合させられた嵌合部５１４のプランジャ４内への引込みを補助することができる。
【００２８】
次に、図２２乃至図２５に示すのはそれぞれ本発明の第１１、第１２、第１３、第１４の実施形態である。これらの第１１、第１２、第１３、第１４の実施形態の構造は、それぞれ前記第９の実施形態、前記第２の実施形態、前記第４の実施形態、前記第６の実施形態とほぼ同様に構成されているが、摩擦減少領域１２２に、密封ユニット７が水密的に充填されている。
【産業上の利用可能性】
【００２９】
上述した実施形態から分かるように、前記ニードルカニューレのプランジャ内への引込みは、前記前ハブ部が前記保持領域から前記摩擦減少領域を経由して前記接触肩部に当接させられ、即ち、前記前ハブ部が前記バレルの小径部の前記保持領域による保持状態から前記摩擦領域内にある緩和状態に変更されてから始めて行われるので、前記引込みの移動に対する抵抗になる静的摩擦が大幅に減少し、付勢手段による引込み動作が容易に発動され、従来より順調に行われることができる。
【００３０】
上記のように、本発明は使用済みのニードルカニューレをもっと順調にプランジャ内に引き込むことができる注射器を提供することができる。
【図面の簡単な説明】
【００３１】
【図１】本発明の第１の実施形態の注射器を示す分解図
【図２】本発明の第１の実施形態の注射器が使用位置にある状態の断面図
【図３】前記第１の実施形態における結合手段のバレルの前端開口への移動状態を示す部分断面図
【図４】前記第１の実施形態における結合手段のバレルの前端開口への移動状態を示す部分断面図
【図５】前記第１の実施形態における結合手段のバレルの前端開口への移動状態を示す部分断面図
【図６】前記第１の実施形態の注射器が引込み位置にある状態の断面図
【図７】本発明の第２の実施形態の注射器が使用位置にある状態を示す断面図
【図８】本発明の第３の実施形態の注射器が使用位置にある状態を示す断面図
【図９】前記第３の実施形態の注射器が引込み位置にある状態を示す断面図
【図１０】本発明の第４の実施形態の注射器が使用位置にある状態を示す断面図
【図１１】本発明の第５の実施形態の注射器が使用位置にある状態を示す断面図
【図１２】前記第５の実施形態における前ハブ部が摩擦減少領域を経由した状態を示す断面図
【図１３】前記第５の実施形態の注射器が引込みにある状態を示す断面図
【図１４】本発明の第６の実施形態の注射器が使用位置にある状態を示す断面図
【図１５】本発明の第７の実施形態の注射器が使用位置にある状態を示す断面図
【図１６】本発明の第８の実施形態の注射器が使用位置にある状態を示す断面図
【図１７】前記第８の実施形態の注射器が引込み位置にある状態を示す断面図
【図１８】本発明の第９の実施形態の注射器が使用位置にある状態を示す断面図
【図１９】前記第９の実施形態における前ハブ部が摩擦減少領域を経由した状態を示す部分断面図
【図２０】本発明の第１０の実施形態の注射器が使用位置にある状態を示す部分断面図
【図２１】前記第１０の実施形態の注射器が引込み位置にある状態を示す断面図
【図２２】本発明の第１１の実施形態の注射器が使用位置にある状態を示す断面図
【図２３】本発明の第１２の実施形態の注射器が使用位置にある状態を示す断面図
【図２４】本発明の第１３の実施形態の注射器が使用位置にある状態を示す断面図
【図２５】本発明の第１４の実施形態の注射器が使用位置にある状態を示す断面図
【符号の説明】
【００３２】
１        バレル
１０      通路
１１      大径部
１２      小径部
１２１    保持領域
１２２    摩擦減少領域
１２３    連通孔
１２４    接触肩部
１３      周壁
１３１    前開口端
１３２    後開口端
１４      環状肩部
１５      リブ
１６      保持エリア
２        ニードル手段
２１      ニードル座
２１１    前ハブ部
２１１０  内室
２１１１  後段部
２１１２  前段部
２１２    被挟持部
２１３    後嵌部
２２      ニードルカニューレ
３        挟持手段
３１      延伸孔
３２      密封部
４        プランジャ
４１      収容室
４２      周壁
４２１    前端開口縁
４２２    後端開口縁
４２３    小段部
４２４    大段部
４２４１  前段部
４２４２  後段部
４２５    末端部
４２６    環状肩部
４２７    環状溝
４２７ａ  突起
４２８    環状リブ
４２９    通気孔
４３      シールリング
４４      キャップ
４４１    環状溝
４５      シールリング手段
５１      係合手段
５１１    棒部
５１２    保持部
５１２ａ  保持部
５１３    保持棒部
５１４    嵌合部
５１５    凸縁
５１６    結合凹槽
５１７    テーパ部
５１８    環状エッジ
５１９    ヘッド部
５２      附勢手段
５２１    前端
５２２    後端
５５      密封手段
５５０    末端壁
５５１    凹溝
７        密封ユニット
７３      室
【図１】
2005312895.tif 000003
【図２】
2005312895.tif 000004
【図３】
2005312895.tif 000005
【図４】
2005312895.tif 000006
【図５】
2005312895.tif 000007
【図６】
2005312895.tif 000008
【図７】
2005312895.tif 000009
【図８】
2005312895.tif 000010
【図９】
2005312895.tif 000011
【図１０】
2005312895.tif 000012
【図１１】
2005312895.tif 000013
【図１２】
2005312895.tif 000014
【図１３】
2005312895.tif 000015
【図１４】
2005312895.tif 000016
【図１５】
2005312895.tif 000017
【図１６】
2005312895.tif 000018
【図１７】
2005312895.tif 000019
【図１８】
2005312895.tif 000020
【図１９】
2005312895.tif 000021
【図２０】
2005312895.tif 000022
【図２１】
2005312895.tif 000023
【図２２】
2005312895.tif 000024
【図２３】
2005312895.tif 000025
【図２４】
2005312895.tif 000026
【図２５】
2005312895.tif 000027